(57)【特許請求の範囲】
【請求項１】
一端に爪の左右の爪側縁の一方に対する引っかけ部を備え、この引っかけ部を一方の前記爪側縁に引っかけて前記爪上において他方の前記爪側縁側に延びる長さを持った第一パーツと、
一端に他方の前記爪側縁に対する引っかけ部を備え、この引っかけ部を他方の前記爪側縁に引っかけて前記爪上において一方の前記爪側縁側に延びる長さを持った第二パーツとからなる、巻き爪矯正後の爪形態保持具であって、
前記第二パーツの側部に形成された被係合部に、前記第一パーツの側部に形成された係合部を係合させることで、前記第一パーツの前記引っかけ部と前記第二パーツの前記引っかけ部との間の距離を一定に保って前記第一パーツと前記第二パーツとが一体化されるようになっていると共に、
前記係合部及び前記被係合部はそれぞれ、前記長さ方向に沿った断面を鋸歯状としており、
前記係合部と前記被係合部とが、これらの一方を構成する歯部をこれらの他方を構成する隣り合う歯部間に相補的に納めて係合されるようにしてなり、
前記係合部を構成する前記歯部は、前記第一パーツの前記引っかけ部側に向けられる係合面を前記歯部の歯先に近づくに連れて前記第一パーツの前記引っかけ部側に近づく向きに傾斜させていると共に、
前記被係合部を構成する前記歯部は、前記第二パーツの前記引っかけ部側に向けられる被係合面を前記歯部の歯先に近づくに連れて前記第二パーツの前記引っかけ部側に近づく向きに傾斜させてなり、
しかも、前記係合面及び前記被係合面の一方に、前記歯部の歯先から根本に続く突条を設けると共に、
前記係合面及び前記被係合面の他方に、前記歯部の歯先から根本に続く前記突条の受け入れ溝を設けさせてなる、爪形態保持具。
【請求項２】
前端部及び後端部を備えたベース部材と、
自由端に爪の左側の爪側縁に対するフック部を備えた左側アームと、
自由端に爪の右側の爪側縁に対するフック部を備えた右側アームと、
左側アームと右側アームとの間にあって下端部を爪に対する当接部とした支点部材とを備えており、
前記左側アーム及び右側アームはそれぞれ、その上端部を前記ベース部材の前記前端部に回動可能に組み合わせており、
前記支点部材は、前記ベース部材の前記前端部と前記後端部との間において前記ベース部材に対し上下方向に螺進退可能に組み合わされた軸体下に前記当接部を配させており、
かつ、前記ベース部材の前記後端部側に、指における前記爪より指の付け根側となる箇所に巻き付けられる巻き付け部材に対する連繋部を備えてなり、
しかも、前記左側の爪側縁に対する挟持部と前記左側アームの前記フック部に対する被引っかけ部を備えた左側クリップと、
前記右側の爪側縁に対する挟持部と前記右側アームの前記フック部に対する被引っかけ部を備えた右側クリップとを含んでなる、巻き爪矯正具。
【請求項３】
爪形態保持具と、巻き爪矯正具とからなる、装置であって、
前記爪形態保持具は、一端に爪の左右の爪側縁の一方に対する引っかけ部を備え、この引っかけ部を一方の前記爪側縁に引っかけて前記爪上において他方の前記爪側縁側に延びる長さを持った第一パーツと、
一端に他方の前記爪側縁に対する引っかけ部を備え、この引っかけ部を他方の前記爪側縁に引っかけて前記爪上において一方の前記爪側縁側に延びる長さを持った第二パーツとからなると共に、
前記第二パーツに形成された被係合部に、前記第一パーツに形成された係合部を係合させることで、前記第一パーツの前記引っかけ部と前記第二パーツの前記引っかけ部との間の距離を一定に保って前記第一パーツと前記第二パーツとが一体化されるようになっており、
前記巻き爪矯正具は、
前端部及び後端部を備えたベース部材と、
自由端に爪の左側の爪側縁に対するフック部を備えた左側アームと、
自由端に爪の右側の爪側縁に対するフック部を備えた右側アームと、
左側アームと右側アームとの間にあって下端部を爪に対する当接部とした支点部材とを備えており、
前記左側アーム及び右側アームはそれぞれ、その上端部を前記ベース部材の前記前端部に回動可能に組み合わせており、
前記支点部材は、前記ベース部材の前記前端部と前記後端部との間において前記ベース部材に対し上下方向に螺進退可能に組み合わされた軸体下に前記当接部を配させており、
かつ、前記ベース部材の前記後端部側に、指における前記爪より指の付け根側となる箇所に巻き付けられる巻き付け部材に対する連繋部を備えており、
前記左側アーム及び前記右側アームの前記フック部と前記当接部との間に前記保持具を取り付け可能な間隔を形成させるようにしてなる、巻き爪の矯正と矯正後の爪の形態の保持とを実現可能とする装置。
【発明の詳細な説明】
【背景技術】
【０００１】
巻き爪矯正具として、本出願人提案の特許文献１及び特許文献２に示されるものがある。【０００２】
これらの矯正具は、左側の爪側縁への引っかけ部を備えた左側アームと、右側の爪側縁への引っかけ部を備えた右側アームと、 左側アームと右側アームとの間にあって下端部を爪に対する当接部とした支点部材とを有している。支点部材はベース体に対し上下方向に螺進退可能に組み合わされている。これらの矯正具にあっては、左側アームの引っかけ部を左側の爪側縁に引っかけ、右側アームの引っかけ部を右側の爪側縁に引っかけると共に、支点部材の当接部を爪に突き当てた装着状態から、支点部材を下方に向けて螺進させるように操作することで、巻き爪を効果的に矯正可能となっている。【０００３】
かかる矯正は、典型的には、爪に適度な吸湿をさせて爪を軟化させた上で、前記のように矯正具を爪に装着し支点部材を操作することでなされる。【０００４】
なお、一方の爪側縁に対するフック部を備えたバンド状体と、他方の爪側縁に対するフック部を備えた前記バンド状体の挿通体とを、バンド状体に形成されたセレーション部（鋸歯状部）を挿通体内に形成させた爪に係合させて一体化させるようにした矯正具として、特許文献３及び４に示されるものがある。
【先行技術文献】
【特許文献】
【０００５】
【特許文献１】特開２０１４−１３８６９０号公報
【特許文献２】特許第５６８４４３７号公報
【特許文献３】特許第６０８５７３１号公報
【特許文献４】米国特許明細書第２５６７６０１号公報
【発明の概要】
【発明が解決しようとする課題】
【０００６】
この発明が解決しようとする主たる問題点は、巻き爪の矯正をより効果的に実現する点にある。【０００７】
具体的には、この発明が解決しようとする主たる問題点は、巻き爪矯正後の爪の形態を保持することに適した保持具を提供する点、および、矯正具を爪に装着させた状態下において、この爪に前記保持具を取り付ける作業を行いやすくする構造を備えた矯正具を提供する点にある。
【課題を解決するための手段】
【０００８】
前記課題を達成するために、この発明にあっては、第一の観点から、爪形態保持具を、一端に爪の左右の爪側縁の一方に対する引っかけ部を備え、この引っかけ部を一方の前記爪側縁に引っかけて前記爪上において他方の前記爪側縁側に延びる長さを持った第一パーツと、
一端に他方の前記爪側縁に対する引っかけ部を備え、この引っかけ部を他方の前記爪側縁に引っかけて前記爪上において一方の前記爪側縁側に延びる長さを持った第二パーツとからなる、巻き爪矯正後の爪形態保持具であって、
前記第二パーツの側部に形成された被係合部に、前記第一パーツの側部に形成された係合部を係合させることで、前記第一パーツの前記引っかけ部と前記第二パーツの前記引っかけ部との間の距離を一定に保って前記第一パーツと前記第二パーツとが一体化されるようになっていると共に、
前記係合部及び前記被係合部はそれぞれ、前記長さ方向に沿った断面を鋸歯状としており、
前記係合部と前記被係合部とが、これらの一方を構成する歯部をこれらの他方を構成する隣り合う歯部間に相補的に納めて係合されるようにしてなる、ものとした。【０００９】
前記係合部を構成する前記歯部は、前記第一パーツの前記引っかけ部側に向けられる係合面を前記歯部の歯先に近づくに連れて前記第一パーツの前記引っかけ部側に近づく向きに傾斜させていると共に、
前記被係合部を構成する前記歯部は、前記第二パーツの前記引っかけ部側に向けられる被係合面を前記歯部の歯先に近づくに連れて前記第二パーツの前記引っかけ部側に近づく向きに傾斜させてなる、ものとすることが、この発明の態様の一つとされる。【００１０】
また、前記係合面及び前記被係合面の一方に、前記歯部の歯先から根本に続く突条を設けると共に、
前記係合面及び前記被係合面の他方に、前記歯部の歯先から根本に続く前記突条の受け入れ溝を設けさせてなる、ものとすることが、この発明の態様の一つとされる。【００１１】
また、前記課題を達成するために、この発明にあっては、第二の観点から、爪形態保持具を、一端に爪の左右の爪側縁の一方に対する引っかけ部を備え、この引っかけ部を一方の前記爪側縁に引っかけて前記爪上において他方の前記爪側縁側に延びる長さを持った第一パーツと、
一端に他方の前記爪側縁に対する引っかけ部を備え、この引っかけ部を他方の前記爪側縁に引っかけて前記爪上において一方の前記爪側縁側に延びる長さを持った第二パーツとからなる、巻き爪矯正後の爪形態保持具であって、
前記第二パーツの下部に形成された被係合部に、前記第一パーツの上部に形成された係合部を係合させることで、前記第一パーツの前記引っかけ部と前記第二パーツの前記引っかけ部との間の距離を一定に保って前記第一パーツと前記第二パーツとが一体化されるようになっていると共に、
前記係合部及び前記被係合部はそれぞれ、前記長さ方向に沿った断面を鋸歯状としており、
前記係合部と前記被係合部とが、これらの一方を構成する歯部をこれらの他方を構成する隣り合う歯部間に相補的に納めて係合されるようにしてなる、ものとした。【００１２】
この第二の観点にかかる爪形態保持具において、前記係合部を構成する前記歯部は、前記第一パーツの前記引っかけ部側に向けられる係合面を前記歯部の歯先に近づくに連れて前記第一パーツの前記引っかけ部側に近づく向きに傾斜させていると共に、
前記被係合部を構成する前記歯部は、前記第二パーツの前記引っかけ部側に向けられる被係合面を前記歯部の歯先に近づくに連れて前記第二パーツの前記引っかけ部側に近づく向きに傾斜させてなる、ものとすることが、この発明の態様の一つとされる。【００１３】
また、前記課題を達成するために、この発明にあっては、第三の観点から、巻き爪矯正具を、
前端部及び後端部を備えたベース部材と、
自由端に爪の左側の爪側縁に対するフック部を備えた左側アームと、
自由端に爪の右側の爪側縁に対するフック部を備えた右側アームと、
左側アームと右側アームとの間にあって下端部を爪に対する当接部とした支点部材とを備えており、
前記左側アーム及び右側アームはそれぞれ、その上端部を前記ベース部材の前記前端部に回動可能に組み合わせており、
前記支点部材は、前記ベース部材の前記前端部と前記後端部との間において前記ベース部材に対し上下方向に螺進退可能に組み合わされた軸体下に前記当接部を配させており、
かつ、前記ベース部材の前記後端部側に、指における前記爪より指の付け根側となる箇所に巻き付けられる巻き付け部材に対する連繋部を備えてなる、ものとした。【００１４】
この第三の観点にかかる爪形態保持具において、前記左側の爪側縁に対する挟持部と前記左側アームの前記フック部に対する被引っかけ部を備えた左側クリップと、
前記右側の爪側縁に対する挟持部と前記右側アームの前記フック部に対する被引っかけ部を備えた右側クリップとを含んでなる、ものとすることが、この発明の態様の一つとされる。
【発明の効果】
【００１５】
この発明にかかる保持具によれば、巻き爪矯正後の爪の形態を適切に保持することが可能となる。
また、この発明にかかる矯正具によれば、矯正具を爪に装着させた状態下において、この爪に前記保持具を取り付ける作業を容易化可能となる。
【図面の簡単な説明】
【００１６】
【図１】図１は、この発明の一実施の形態にかかる保持具（第一例）の平面図である。
【図２】図２は、前記第一例を構成する第一パーツの側面図である。
【図３】図３は、前記第一例を構成する第二パーツの側面図である。
【図４】図４は、前記第一例を構成する第一パーツの係合部及び第二パーツの被係合部の要部斜視図である。
【図５】図５は、前記第一例を構成する第一パーツを爪上に位置づけた状態を示した平面図である。
【図６】図６は、図５の状態から前記第一例を構成する第一パーツに第二パーツを係合させて両パーツにより巻き爪矯正後の爪の形態を保持した様子を示した平面図である。
【図７】図７は、図６の状態を指の指先側から見て示した側面図である。
【図８】図８は、この発明の一実施の形態にかかる保持具（第二例）を構成する第一パーツの平面図である。
【図９】図９は、前記第二例を構成する第一パーツの側面図である。
【図１０】図１０は、図９におけるＡ−Ａ線位置での断面図である。
【図１１】図１１は、前記第二例を構成する第二パーツの側面図である。
【図１２】図１２は、前記第二例を構成する第二パーツの底面図である。
【図１３】図１３は、前記第二例を構成する第一パーツを爪上に位置づけた状態を示した平面図である。
【図１４】図１４は、図１３の状態から前記第二例を構成する第一パーツに第二パーツを係合させて両パーツにより巻き爪矯正後の爪の形態を保持した様子を示した平面図である。
【図１５】図１５は、図１４の状態を指の指先側から見て示した側面図である。
【図１６】図１６は、前記第二例及び前記第二例の爪への装着を容易化する工具の側面図である。
【図１７】図１７は、前記工具の要部平面図である。
【図１８】図１８は、この発明の一実施の形態にかかる矯正具の斜視図である。
【図１９】図１９は、前記矯正具を構成するクリップの分解斜視図である。
【図２０】図２０は、前記矯正具の使用状態を示した正面図である。
【図２１】図２１は、前記矯正具の使用状態を示した側面図である。
【発明を実施するための形態】
【００１７】
以下、図１〜図２１に基づいて、この発明の典型的な実施の形態について、説明する。
【００１８】
この実施の形態にかかる保持具１は、巻き爪矯正後の爪Ｎに取り付けられて、この矯正後の爪Ｎの形態を保持するために用いられるものである。
【００１９】
また、この実施の形態にかかる矯正具２は、巻き爪となっている爪Ｎに装着されて、この爪Ｎを正常な状態に矯正するために用いられるものである。特に、この実施の形態にかかる矯正具２は、この矯正具２を爪Ｎに装着させた状態下において、この爪Ｎに前記保持具１を取り付ける作業を行いやすくする構造を備えたものとなっている。
【００２０】
かかる保持具１と矯正具２とによって、巻き爪の矯正と矯正後の爪Ｎの形態の保持とを同時に実現可能な装置ないしシステムが構成される。
【００２１】
前記保持具１は、第一パーツ３と第二パーツ４とから構成されている。
【００２２】
第一パーツ３は、一端３ｄに爪Ｎの左右の爪側縁Ｎａの一方に対する引っかけ部３ａを備え、この引っかけ部３ａを一方の前記爪側縁Ｎａに引っかけて前記爪Ｎ上において他方の前記爪側縁Ｎａ側に延びる長さを持っている。
【００２３】
一方、第二パーツ４は、一端４ｄに他方の前記爪側縁Ｎａに対する引っかけ部４ａを備え、この引っかけ部４ａを他方の前記爪側縁Ｎａに引っかけて前記爪Ｎ上において一方の前記爪側縁Ｎａ側に延びる長さを持っている。
【００２４】
前記爪側縁Ｎａは、指Ｆの指先側に位置される爪先Ｎｂと、これと反対の爪Ｎの基部Ｎｃの間に亘る、爪Ｎの側縁を意味する。
【００２５】
そして、図１〜図７に示される第一例では、前記第二パーツ４の側部４ｈに形成された被係合部４ｂに、前記第一パーツ３の側部３ｈに形成された係合部３ｂを係合させることで、前記第一パーツ３の前記引っかけ部３ａと前記第二パーツ４の前記引っかけ部４ａとの間の後述の距離Ｄ（図７参照）を一定に保って前記第一パーツ３と前記第二パーツ４とが一体化されるようになっている。
【００２６】
また、図８〜図１５に示される第二例では、前記第二パーツ４の下部４ｆに形成された被係合部４ｂに、前記第一パーツ３の上部３ｇに形成された係合部３ｂを係合させることで、前記第一パーツ３の前記引っかけ部３ａと前記第二パーツ４の前記引っかけ部４ａとの間の後述の距離Ｄ（図１５参照）を一定に保って前記第一パーツ３と前記第二パーツ４とが一体化されるようになっている。
【００２７】
典型的には、保持具１は、以下の手順で巻き爪矯正後の爪Ｎに取り付けられる。
（１）第一パーツ３の引っかけ部３ａを一方の爪側縁Ｎａに引っかけて、爪Ｎ上に第一パーツ３を位置づける（図５、図１３）。
（２）第二パーツ４の引っかけ部４ａを他方の爪側縁Ｎａに引っかけて、爪Ｎ上に第二パーツ４を位置づける。
（３）第二パーツ４の引っかけ部４ａと反対の他端４ｅをラジオペンチ等の工具で挟み付けて第二パーツ４に引っ張り力を作用させながら、第二パーツ４を第一パーツ３に近接させて第二パーツ４の被係合部４ｂに第一パーツ３の係合部３ｂを係合させる（図６、図１４）。第一例では第一パーツ３の側部３ｈに第二パーツ４の側部４ｈを接しさせる位置まで爪Ｎの表面に沿った横向きに第二パーツ４を移動させ、第二例では第一パーツ３の上部３ｇに第二パーツ４の下部４ｆを接しさせる位置まで縦向きに第二パーツ４を移動させる。
【００２８】
前記係合によって、第一パーツ３の引っかけ部３ａと第二パーツ４の引っかけ部４ａとの間の距離Ｄを一定に保った状態で第一パーツ３と第二パーツ４とは一体化され、このように爪Ｎに取り付けられた保持具１によって矯正後の爪Ｎの形態を保持することが可能となる。この爪Ｎへの取り付け状態において、第一パーツ３及び第二パーツ４は必要に応じて一部を切除して長さを調整する（図５、図６、図１５において、かかる切除部分を想像線で示す。）。
【００２９】
第一パーツ３と第二パーツ４の全長とこれらに形成される係合部３ｂ及び被係合部４ｂの長さとを一定化した場合、爪Ｎの幅が大きくなればなるほど、第一パーツ３の係合部３ｂと第二パーツ４の被係合部４ｂのラップ寸法は小さくなり、爪Ｎの幅が小さくなればなるほど、第一パーツ３の係合部３ｂと第二パーツ４の被係合部４ｂのラップ寸法は大きくなる。
【００３０】
具体的には、第一パーツ３及び第二パーツ４はそれぞれ、長さを持った主体部３ｃ、４ｃの一端３ｄ、４ｄに前記引っかけ部３ａ、４ａを形成させた構成となっている。
主体部３ｃは、爪Ｎ側に向けられる下部３ｆ、４ｆと、これと反対の上部３ｇ、４ｇと、二つの側部３ｈ、４ｈとを備えている。
引っかけ部３ａ、４ａは、フック状をなしている。引っかけ部３ａ、４ａは、主体部３ｃ、４ｃの一端３ｄ、４ｄにおいて主体部３ｃ、４ｃの下部３ｆ、４ｆに直交する向きに突き出すフック基部３ｉ、４ｉと、このフック基部３ｉ、４ｉの突き出し端に続き主体部３ｃの他端３ｅ、４ｅ側に向けて突き出すフック先端部３ｊ、４ｊとを備えている。
【００３１】
第一パーツ３及び第二パーツ４はそれぞれ、主体部３ｃ、４ｃを爪Ｎ上に位置させ、引っかけ部３ａ、４ａのフック基部３ｉ、４ｉを爪側縁Ｎａの側方に位置させ、フック先端部３ｊ、４ｊを爪Ｎの裏側に入り込ませるようにして、引っかけ部３ａ、４ａを爪側縁Ｎａに引っかけるようになっている（図７、図１５参照）。
【００３２】
かかる第一パーツ３及び第二パーツ４は、爪Ｎへの前記取り付け状態において、爪Ｎの湾曲に沿った一定の弾性変形を生じる硬さを持った合成樹脂から構成することが好ましい。
【００３３】
第一パーツ３と第二パーツ４とは、爪Ｎへの装着状態において、第一パーツ３の引っかけ部３ａと第二パーツ４の引っかけ部４ａとの間における爪Ｎの表面を通る仮想の円弧上の距離Ｄを１２ｍｍ〜２７ｍｍの範囲で調整可能な長さに構成することが好ましい。
【００３４】
（第一例）
第一例では、第一パーツ３及び第二パーツ４は、その主体部３ｃを、いずれも幅方向の断面を実質的に四角形とした紐状としている。
【００３５】
また、前記係合部３ｂ及び前記被係合部４ｂはそれぞれ、前記長さ方向に沿った断面を鋸歯状としている。
そして、前記係合部３ｂと前記被係合部４ｂとは、これらの一方を構成する歯部５、７をこれらの他方を構成する隣り合う歯部５、７間に相補的に納めて係合されるようになっいている。
図示の例では、係合部３ｂを構成する後述の歯部５の数が被係合部４ｂを構成する後述の歯部７の数よりも多く、これにより、係合部３ｂの全長が被係合部４ｂの全長より長くなっている。
【００３６】
係合部３ｂは、第一パーツ３の主体部３ｃにおける二箇所の側部３ｈの一方に形成されている。係合部３ｂは、主体部３ｃの上部３ｇと下部３ｆとに亘る溝部６を隣り合う歯部５間に形成するようにして、主体部３ｃの側部３ｈの一方にこの側部３ｈから突き出す複数の歯部５を形成することで構成されている。複数の歯部５はどれも他の歯部５と同寸同形であり、隣り合う歯部５間に形成される溝部６も他の溝部６と同じ寸法となっている。
【００３７】
被係合部４ｂは、第二パーツ４の主体部４ｃにおける二箇所の側部４ｈの一方に形成されている。被係合部４ｂは、主体部４ｃの上部４ｇと下部４ｆとに亘る溝部８を主体部４ｃの隣り合う歯部７間に形成するように、主体部４ｃの側部４ｈの一方にこの側部４ｈから突き出す複数の歯部７を形成することで構成されている。複数の歯部７はどれも他の歯部７と同寸同形であり、隣り合う歯部７間に形成される溝部８も他の溝部８と同じ寸法となっている。
【００３８】
第一パーツ３の係合部３ｂを構成する溝部６は、第二パーツ４の被係合部４ｂを構成する歯部７が相補的に収まる形態となっている。また、第二パーツ４の被係合部４ｂを構成する溝部８は、第一パーツ３の係合部３ｂを構成する歯部５が相補的に収まる形態となっている。これにより、第一パーツ３と第二パーツ４とは、係合部３ｂを構成する歯部５を被係合部４ｂを構成する溝部８に納め、かつ、係合部３ｂを構成する溝部６に被係合部４ｂを構成する歯部７を納めた状態で、強固に一体化可能となっている。第一パーツ３の係合部３ｂにおける第二パーツ４の被係合部４ｂの溝部８に入り込む歯部５の数、及び、第二パーツ４の被係合部４ｂにおける第一パーツ３の係合部３ｂの溝部６に入り込む歯部７の数は、保持具１の取り付け対象となる爪Ｎの幅に応じて変わることとなる。
【００３９】
また、前記第一パーツ３の前記係合部３ｂを構成する前記歯部５は、前記第一パーツ３の前記引っかけ部３ａ側に向けられる係合面５ａを前記歯部５の歯先５ｂに近づくに連れて前記第一パーツ３の前記引っかけ部３ａ側に近づく向きに傾斜させていると共に、
前記第二パーツ４の前記被係合部４ｂを構成する前記歯部７は、前記係合面５ａに係合される面としての、第二パーツ４の前記引っかけ部４ａ側に向けられる被係合面７ａを、前記歯部７の歯先７ｂに近づくに連れて前記第二パーツ４の前記引っかけ部４ａ側に近づく向きに傾斜させている（図１参照）。
これにより、前記係合により一体化された第一パーツ３及び第二パーツ４の前記歯部５、７は、第一パーツ３に対してはこの第一パーツ３の引っかけ部３ａ側に引っ張る力が作用されればされるほど、第二パーツ４に対してはこの第二パーツ４の引っかけ部４ａ側に引っ張る力が作用されればされるほど、前記係合面５ａ及び前記被係合面７ａによって前記溝部６、８に入り込ませる向きに案内され、前記引張り力が作用されればされるほど第一パーツ３と第二パーツ４との係合状態はより強固になるようになっている。
【００４０】
また、第一例にあっては、前記係合面５ａ及び前記被係合面７ａの一方に、前記歯部５、７の歯先５ｂ、７ｂから根本５ｃ、７ｃに続く突条９を設けると共に、
前記係合面５ａ及び前記被係合面７ａの他方に、前記歯部５、７の歯先５ｂ、７ｂから根本５ｃ、７ｃに続く前記突条９の受け入れ溝１０を設けさせている。
図示の例では、第一パーツ３の係合部３ｂを構成する歯部５における係合面５ａに受け入れ溝１０を形成させ、第二パーツ４の被係合部４ｂを構成する歯部７における被係合面７ａに突条９を形成させている。
【００４１】
受け入れ溝１０は、第一パーツ３の係合部３ｂを構成する歯部５を、その突き出し方向に直交する向きに断面にしたときに、この歯部５の幅方向中程の位置に最深部１０ａを位置させたＶ字形状を呈している。
【００４２】
一方、突条９は、第二パーツ４の被係合部４ｂを構成する歯部７を、その突き出し方向に直交する向きに断面にしたときに、この歯部７の幅方向中程の位置に頂部９ａを位置させた山形状を呈している。
【００４３】
これにより、この第一例にあっては、第一パーツ３と第二パーツ４とを、前記係合部３ｂの歯部５の受け入れ溝１０に、前記被係合部４ｂの歯部７の突条９を導入させた状態で、係合・一体化させることができ、この一体化状態において第一パーツ３と第二パーツ４とには上下方向ｘ（図７参照）のズレが生じることがないようになっている。
【００４４】
なお、この第一例では、第一パーツ３及び第二パーツ４はいずれも、引っかけ部３ａ、４ａが形成された一端３ｄ、４ｄ側を、この一端３ｄ、４ｄ側に位置される係合部３ｂ及び被係合部４ｂの端末３ｋ、４ｋ近傍において屈曲させて、係合部３ｂ及び被係合部４ｂを構成する歯部５、７の歯先５ｂ、７ｂが位置する仮想の直線Ｌ１、Ｌ２に引っかけ部３ａ、４ａが近接するようにしている（図１参照）。
【００４５】
（第二例）
第二例では、第一パーツ３及び第二パーツ４は、その主体部３ｃを、上部３ｇ、４ｇと下部３ｆ、４ｆとを幅広にし、側部３ｈ、４ｈを厚さとした、帯紐状としている。
【００４６】
また、前記係合部３ｂ及び前記被係合部４ｂはそれぞれ、前記長さ方向に沿った断面を鋸歯状としている。
そして、前記係合部３ｂと前記被係合部４ｂとは、これらの一方を構成する歯部５、７をこれらの他方を構成する隣り合う歯部５、７間に相補的に納めて係合されるようになっいている。
【００４７】
図示の例では、係合部３ｂを構成する歯部５の数が被係合部４ｂを構成する歯部７の数よりも多く、これにより、係合部３ｂの全長が被係合部４ｂの全長より長くなっている。
【００４８】
係合部３ｂは、第一パーツ３の主体部３ｃにおける上部３ｇに形成されている。第一パーツ３の上部３ｇには、その長さ方向に沿った縁部にそれぞれ、規制凸条１１が形成されている。係合部３ｂは、一対の規制凸条１１間に亘る溝部６を隣り合う歯部５間に形成するようにして、主体部３ｃの上部３ｇにこの上部３ｇから突き出す複数の歯部５を形成することで構成されている。複数の歯部５はどれも他の歯部５と同寸同形であり、隣り合う歯部５間に形成される溝部６も他の溝部６と同じ寸法となっている。
【００４９】
被係合部４ｂは、第二パーツ４の主体部４ｃにおける下部４ｆに形成されている。被係合部４ｂは、主体部４ｃの下部４ｆの幅方向に亘る溝部８を隣り合う歯部７間に形成するようにして、主体部４ｃの下部４ｆにこの下部４ｆから突き出す複数の歯部７を形成することで構成されている。複数の歯部７はどれも他の歯部７と同寸同形であり、隣り合う歯部７間に形成される溝部８も他の溝部８と同じ寸法となっている。
【００５０】
第一パーツ３の係合部３ｂを構成する溝部６は、第二パーツ４の被係合部４ｂを構成する歯部７が相補的に収まる形態となっている。また、第二パーツ４の被係合部４ｂを構成する溝部８は、第一パーツ３の係合部３ｂを構成する歯部５が相補的に収まる形態となっている。これにより、第一パーツ３と第二パーツ４とは、係合部３ｂを構成する歯部５を被係合部４ｂを構成する溝部８に納め、かつ、係合部３ｂを構成する溝部６に被係合部４ｂを構成する歯部７を納めた状態で、強固に一体化可能となっている。第一パーツ３の係合部３ｂにおける第二パーツ４の被係合部４ｂの溝部８に入り込む歯部５の数、及び、第二パーツ４の被係合部４ｂにおける第一パーツ３の係合部３ｂの溝部６に入り込む歯部７の数は、保持具１の取り付け対象となる爪Ｎの幅に応じて変わることとなる。
【００５１】
また、前記第一パーツ３の前記係合部３ｂを構成する前記歯部５は、前記第一パーツ３の前記引っかけ部３ａ側に向けられる係合面５ａを前記歯部５の歯先５ｂに近づくに連れて前記第一パーツ３の前記引っかけ部３ａ側に近づく向きに傾斜させていると共に、
前記第二パーツ４の前記被係合部４ｂを構成する前記歯部７は、前記係合面５ａに係合される面としての、第二パーツ４の前記引っかけ部４ａ側に向けられる被係合面７ａを、前記歯部７の歯先７ｂに近づくに連れて前記第二パーツ４の前記引っかけ部４ａ側に近づく向きに傾斜させている（図１０、図１１参照）。
これにより、前記係合により一体化された第一パーツ３及び第二パーツ４の前記歯部５、７は、第一パーツ３に対してはこの第一パーツ３の引っかけ部３ａ側に引っ張る力が作用されればされるほど、第二パーツ４に対してはこの第二パーツ４の引っかけ部４ａ側に引っ張る力が作用されればされるほど、前記係合面５ａ及び前記被係合面７ａによって前記溝部６、８に入り込ませる向きに案内され、前記引張り力が作用されればされるほど第一パーツ３と第二パーツ４との係合状態はより強固になるようになっている。
【００５２】
この第二例にあっては、第一パーツ３の上部３ｇに形成された一対の規制凸条１１間において、第二パーツ４の被係合部４ｂの歯部７が第一パーツ３の係合部３ｂの溝部６に入り込み係合するようになっている。これにより第二例にあっては、第一パーツ３と第二パーツ４とを、係合・一体化させた状態において、第一パーツ３と第二パーツ４とには前後方向ｙ（図１３参照）のズレが生じることがないようになっている。
【００５３】
また、この第二例にあっては、第一パーツ３の二箇所の側部３ｈにそれぞれ、その長さ方向に隣り合うボス部１２との間に間隔を開けて、複数のボス部１２が形成されている。各ボス部１２はそれぞれ、引っかけ部３ａの側にボス部１２の突き出し方向に直交する向きの断面においてＶ字状をなす溝１３を備えた形態となっている。
なお、この第二例では、第二パーツ４は、引っかけ部４ａが形成された一端４ｄ側を、この一端４ｄ側に位置される被係合部４ｂの端末４ｋ近傍において屈曲させて、第一パーツ３の上部３ｇに第二パーツ４の下部４ｆを接しさせて前記係合部３ｂと被係合部４ｂとを係合させた状態において、第一パーツ３の引っかけ部３ａと第二パーツ４の引っかけ部４ａとが実質的に同じレベルに位置されるようにしている（図１５参照）。
【００５４】
この第二例にあっては、例えば、図１６及び図１７に示される工具１４を利用して、爪Ｎに保持具１を装着することができるようになっている。
図１６中符号１４ａで示されるのは前記工具１４の握り部、符号１４ｂで示されるのは前記工具１４のヘッド部、符号１４ｃで示されるのはヘッド部１４ｂの下部前側に形成された握り部１４ａ側に突き出す爪部、符号１４ｃ’で示されるのはヘッド部１４ｂの下部後側に形成された握り部１４ａ側に突き出す爪部、符号１４ｄで示されるのはヘッド部１４ｂを上下に貫通する覗き窓である。
図１６に示されるように、爪Ｎ上の第一パーツ３が前記工具１４の前後の爪部１４ｃ、１４ｃ’間に位置づけられ、かつ、前記工具１４の前後の爪部１４ｃ、１４ｃ’が第一パーツ３のボス部１２の溝１３にそれぞれ入り込み引っかけられるようにする。その上で、第一パーツ３の上側で且つ前記工具１４のヘッド部における前後の爪部１４ｃ、１４ｃ’間に握り部１４ａ側から第二パーツ４を挿通させる。これにより、前記工具１４を利用して第一パーツ３に引張り力（その向きを図１６において符号ｆ１で示す。）を作用させ、かつ、これと逆向きの引張り力（その向きを図１６において符号ｆ２で示す。）を第二パーツ４に作用させながら、この第一パーツ３と第二パーツ４とを前記のように係合させる作業を容易に行うことが可能となる。
【００５５】
（巻き爪矯正具２）
一方、前記矯正具２は、
前端部１５ａ及び後端部１５ｂを備えたベース部材１５と、
自由端に爪Ｎの左側の爪側縁Ｎａに対するフック部１６ａを備えた左側アーム１６と、
自由端に爪Ｎの右側の爪側縁Ｎａに対するフック部１６ａを備えた右側アーム１６と、
左側アーム１６と右側アーム１６との間にあって下端部を爪Ｎに対する当接部１７ａとした支点部材１７とを備えている。
典型的には、矯正具２は、当接部１７ａを合成樹脂により、それ以外の部分を金属によって構成される、
【００５６】
前記ベース部材１５は、前後方向ｙに長い棒状部１５ｃと、左右方向ｚに長い板状部１５ｅとを、板状部１５ｅの左右方向中程の位置に棒状部１５ｃの一端を一体化させた形態となっている。かかる板状部１５ｅによって、ベース部材１５の前端部１５ａが構成されている。
【００５７】
前記左側アーム１６及び右側アーム１６はそれぞれ、その上端部１６ｂを前記ベース部材１５の前記前端部１５ａに回動可能に組み合わせている。
図示の例では、前記左側アーム１６は、その上端部１６ｂを、前後方向ｙに沿った軸１６ｃにより、ベース部材１５の板状部１５ｅの左端に対し回動可能に組み合わせており、自由端を左右方向ｚに揺動可能としている。
また、前記右側アーム１６は、その上端部１６ｂを、前後方向ｙに沿った軸１６ｃにより、ベース部材１５の板状部１５ｅの右端に対し回動可能に組み合わせており、自由端を左右方向ｚに揺動可能としている。
図示の例では、前記左側アーム１６及び右側アーム１６はそれぞれ、その自由端であって、前記支点部材１７が配される側に、上方に鈎先を向けるように形成されたフック部１６ａを備えている。
また、図示の例では、前記左側アーム１６及び右側アーム１６はそれぞれ、上下方向中程の位置に設けられた前後方向ｙに沿った軸１６ｄを中心にその長さ方向中程の位置で屈曲可能に構成されている。
【００５８】
前記支点部材１７は、前記ベース部材１５の前記前端部１５ａと前記後端部１５ｂとの間において前記ベース部材１５に対し上下方向に螺進退可能に組み合わされた軸体１７ｂ下に前記当接部１７ａを配させている。
図示の例では、支点部材１７を構成する軸体１７ｂの外周部には、ベース部材１５の棒状部１５ｃの前後方向中程の位置に形成された雌ネジ孔１５ｄにかみ合う雄ネジ１７ｃが形成されており、この雌ネジ孔１５ｄに雄ネジ１７ｃをかみ合わせた状態で支点部材１７を構成する軸体１７ｂがベース部材１５によってベース部材１５に直交する向きに支持されている。
図示の例では、軸体１７ｂの下端には球状頭部１７ｄが形成されている。一方、前記当接部１７ａは、左右方向に長い主体部１７ｅの左端及び右端に下方に突き出す爪Ｎへの接触部１７ｆを形成させると共に、前記主体部１７ｅの左右方向ｚ中程の位置に上方に突き出す前記球状頭部１７ｄの受容部１７ｇを備えた構成となっている。かかる受容部１７ｇの内部は前記球状頭部１７ｄの形状に倣った凹球面状をなしており、これにより、軸体１７ｂに当接部１７ａが枢支されている。
【００５９】
前記ベース部材１５の前記後端部１５ｂ側には、指Ｆにおける前記爪Ｎより指Ｆの付け根側となる箇所に巻き付けられる巻き付け部材Ｂに対する連繋部１８が備えてられている。
図示の例では、連繋部１８は、ベース部材１５を構成する棒状部１５ｃの他端に外周部を一体化させた環状体１８ａにより構成されている。図示の例では、環状体１８ａは、左右方向に環内空間を開放させる向きに配されている。
【００６０】
図示の例では、巻き付け部材Ｂの一例としての結束バンドＢａのヘッドＢｂに形成された穴Ｂｃと、前記連繋部１８とに同時に通されるリングＲを介して、前記ベース部材１５と前記巻き付け部材Ｂの一例としての結束バンドＢａとを連繋させるようにしている。
【００６１】
かかる矯正具２によれば、支点部材１７の当接部１７ａが爪Ｎに当接される位置より前方において、左側アーム１６のフック部１６ａを爪Ｎの左側の爪側縁Ｎａに引っかけ、右側アーム１６のフック部１６ａを爪Ｎの右側の爪側縁Ｎａに引っかけることができる。また、これと同時に、支点部材１７の当接部１７ａが爪Ｎに当接される位置より後方において、指Ｆに対して巻き付けられる巻き付け部材Ｂとの連繋により矯正具２を支持させることができる。
このように指Ｆに矯正具２を装着した状態から、支点部材１７を下方に向けて螺進操作することで、左側アーム１６及び右側アーム１６のフック部１６ａと当接部１７ａの接触部との間で、爪Ｎの爪側縁Ｎａを持ち上げる巻き爪矯正（図２０における矢印の向きへの矯正）が可能となる。
前記のように指Ｆに矯正具２を装着した状態において、左側アーム１６及び右側アーム１６のフック部１６ａと当接部１７ａとの間には、前後方向ｙにおいて間隔Ｓ（図２１参照）が形成されることとなるが、前記連繋により矯正具２の装着状態は安定的に維持され、特に支点部材１７の前記螺進操作時に矯正具２が前方（指先側）に倒れてしまうような事態は効果的に防止される。
また、前記間隔Ｓを利用して、この矯正具２を爪Ｎに装着して巻き爪矯正を施している状態下において、この爪Ｎに前記保持具１を容易に取り付けることが可能となる。
【００６２】
また、この実施の形態にあっては、前記矯正具２は、前記左側の爪側縁Ｎａに対する挟持部１９ａと前記左側アーム１６の前記フック部１６ａに対する被フック部１９ｂを備えた左側クリップ１９と、
前記右側の爪側縁Ｎａに対する挟持部１９ａと前記右側アーム１６の前記フック部１６ａに対する被フック部１９ｂを備えた右側クリップ１９とを含んだものとなっている。
【００６３】
図示の例では、左側クリップ１９と右側クリップ１９とはいずれも、長さをもった一対の板体１９ｃを、その長さ方向中程の位置で回動可能に組み合わせて、前記挟持部１９ａとなる一端側を接離可能にさせた構成となっている。一対の板体１９ｃの一方の外面部には前記被フック部１９ｂとなる穴を持ったタブ部１９ｄが形成されている。また、一対の板体１９ｃの一方には前記挟持部１９ａ側と反対の側においてネジ体１９ｆを螺進退可能に挿通させたネジ孔１９ｅが形成されている。
これにより、左側クリップ１９と右側クリップ１９とはいずれも、挟持部１９ａに爪側縁Ｎａを入れ込んだ状態から前記ネジ体１９ｅを螺進させることで、挟持部１９ａを構成する板体１９ｃの一端間の距離を狭めて爪側縁Ｎａに装着可能となっている。
そして、このように装着された左側クリップ１９の被フック部１９ｂに左側アーム１６のフック部１６ａを引っかけ、かつ、このように装着された右側クリップ１９の被フック部１９ｂに右側アーム１６のフック部１６ａを引っかけることで、左側クリップ１９と右側クリップ１９とを介して爪Ｎに巻き爪を矯正する力を作用可能となっている。
【００６４】
なお、当然のことながら、本発明は以上に説明した実施態様に限定されるものではなく、本発明の目的を達成し得るすべての実施態様を含むものである。
【符号の説明】
【００６５】
Ｎ  爪
Ｎａ  爪側縁
Ｎｂ  先端
Ｎｃ  基部
Ｆ  指
Ｄ  距離
ｘ  上下方向
ｙ  前後方向
ｚ  左右方向
Ｂ  巻き付け部材
Ｂａ  結束バンド
Ｂｂ  ヘッド
Ｂｃ  穴
Ｒ  リング
Ｓ  間隔
１  保持具
２  矯正具
３  第一パーツ
３ａ  引っかけ部
３ｂ  係合部
３ｃ  主体部
３ｄ  一端
３ｅ  他端
３ｆ  下部
３ｇ  上部
３ｈ  側部
３ｉ  フック基部
３ｊ  フック先端部
３ｋ  端末
４  第二パーツ
４ａ  引っかけ部
４ｂ  被係合部
４ｃ  主体部
４ｄ  一端
４ｅ  他端
４ｆ  下部
４ｇ  上部
４ｈ  側部
４ｉ  フック基部
４ｊ  フック先端部
４ｋ  端末
５  歯部（係合部を構成する）
５ａ  係合面
５ｂ  歯先
５ｃ  根本
６  溝部（係合部を構成する）
７  歯部（被係合部を構成する）
７ａ  被係合面
７ｂ  歯先
７ｃ  根本
８  溝部（被係合部を構成する）
９  突条
９ａ  頂部
１０  受け入れ溝
１０ａ  最深部
１１  規制凸条
１２  ボス部
１３  溝
１４  工具
１４ａ  握り部
１４ｂ  ヘッド部
１４ｃ、１４ｃ’  爪部
１４ｄ  覗き窓
１５  ベース部材
１５ａ  前端部
１５ｂ  後端部
１５ｃ  棒状部
１５ｄ  雌ネジ孔
１５ｅ  板状部
１６  アーム
１６ａ  フック部
１６ｂ  上端部
１６ｃ  軸
１６ｄ  軸
１７  支点部材
１７ａ  当接部
１７ｂ  軸体
１７ｃ  雄ネジ
１７ｄ  球状頭部
１７ｅ  主体部
１７ｆ  接触部
１７ｇ  受容部
１８  連繋部
１８ａ  環状体
１９  クリップ
１９ａ  挟持部
１９ｂ  被フック部
１９ｃ  板体
１９ｄ  タブ部
１９ｅ  ネジ孔
１９ｆ  ネジ体
【要約】一端に爪の左右の爪側縁の一方に対する引っかけ部を備えた第一パーツと、一端に他方の爪側縁に対する引っかけ部を備えた第二パーツとからなる、巻き爪矯正後の爪形態保持具である。前記第二パーツの側部に形成された被係合部に、前記第一パーツの側部に形成された係合部を係合させることで、前記第一パーツの前記引っかけ部と前記第二パーツの前記引っかけ部との間の距離を一定に保って前記第一パーツと前記第二パーツとが一体化されるようになっている。前記係合部及び前記被係合部はそれぞれ、前記長さ方向に沿った断面を鋸歯状としており、前記係合部と前記被係合部とが、これらの一方を構成する歯部をこれらの他方を構成する隣り合う歯部間に相補的に納めて係合されるようにしてなる。【図１】
0006876352.tif 000002
【図２】
0006876352.tif 000003
【図３】
0006876352.tif 000004
【図４】
0006876352.tif 000005
【図５】
0006876352.tif 000006
【図６】
0006876352.tif 000007
【図７】
0006876352.tif 000008
【図８】
0006876352.tif 000009
【図９】
0006876352.tif 000010
【図１０】
0006876352.tif 000011
【図１１】
0006876352.tif 000012
【図１２】
0006876352.tif 000013
【図１３】
0006876352.tif 000014
【図１４】
0006876352.tif 000015
【図１５】
0006876352.tif 000016
【図１６】
0006876352.tif 000017
【図１７】
0006876352.tif 000018
【図１８】
0006876352.tif 000019
【図１９】
0006876352.tif 000020
【図２０】
0006876352.tif 000021
【図２１】
0006876352.tif 000022